(57)【要約】【課題】デジタルズーム機能に関する使い勝手の向上を図る。【解決手段】撮像装置２００であって、撮像部３の撮像範囲内の所定位置に切出領域を設定する第２位置設定部２０５ａと、設定された切出領域内の画像をライブビュー画像として表示パネル６ｂに表示させる第２表示制御部２０６ａと、撮像部の撮像範囲内の特定の被写体の移動に追従させるように、この撮像範囲内における切出領域の位置を変位させる第２変位部２０５ｃと、第１の操作が行われるまでは、撮像範囲内における切出領域の位置を固定させるとともに、第１の操作が行われると、第２変位部により切出領域の位置を変位させる制御を行う変位制御部２０５ｄと、第２の操作が行われると、全体画像内の切出領域に対応する部分画像を記録させる第２記録制御部２０８と、を備えている。【選択図】図６
2018137797.tif 000002
【特許請求の範囲】
【請求項１】
撮像手段により逐次撮像される全体画像をライブビュー画像として表示手段に逐次表示
させるライブビュー表示制御手段と、
前記ライブビュー表示制御手段による前記ライブビュー画像としての全体画像の表示中
に、前記撮像手段の撮像範囲内の所定位置に切出領域を設定する設定手段と、
前記撮像手段の撮像範囲内の特定の被写体の移動に追従させるように、この撮像範囲内
における前記切出領域の位置を変位させる変位手段と、
第１の操作が行われるまでは、前記撮像範囲内における前記切出領域の位置を固定させ
るとともに、前記第１の操作が行われると、前記変位手段により前記切出領域の位置を変
位させる制御を行う変位制御手段と、
前記第１の操作が行われるまでは、前記ライブビュー表示制御手段により前記ライブビ
ュー画像として前記表示手段に逐次表示されている全体画像内における前記切出領域以外
の領域の画像を、この切出領域に対応する部分画像に対して相対的に引き立たせないよう
な所定の表示態様で表示させる領域表示制御手段と、
を備えたことを特徴とする撮像装置。
【請求項２】
前記変位制御手段は、
前記第１の操作が行われるまでは、前記撮像範囲に対して前記切出領域の位置を固定し
た状態で、当該切出領域の大きさ及び形状のうちの少なくとも一方を変更可能にし、前記
第１の操作が行われると、前記切出領域の大きさ及び形状を固定した状態で、前記変位手
段により当該切出領域の位置を変位させる
ことを特徴とする請求項１に記載の撮像装置。
【請求項３】
前記第１の操作が行われた後に第２の操作が行われると、前記撮像手段により撮像され
る全体画像内の前記切出領域に対応する部分画像を記録させる記録制御手段を更に備えた
ことを特徴とする請求項１又は２に記載の撮像装置。
【請求項４】
前記撮像手段により撮像される全体画像から前記切出領域を切り出す切出手段を更に備
え、
前記記録制御手段は、前記第２の操作が行われると、前記切出手段により切り出された
前記切出領域に対応する部分画像と、前記撮像手段により撮像される全体画像とを対応付
けて記録させる
ことを特徴とする請求項３に記載の撮像装置。
【請求項５】
前記ライブビュー表示制御手段は、前記第１の操作が行われると、前記表示手段に逐次
表示される前記ライブビュー画像を、前記撮像手段により逐次撮像される全体画像から、
逐次切り出される前記切出領域に対応する部分画像に切り換える
ことを特徴とする請求項１〜４の何れか一項に記載の撮像装置。
【請求項６】
前記ライブビュー表示制御手段は、前記ライブビュー画像として前記表示手段に逐次表
示される前記切出領域に対応する部分画像の所定位置に、前記撮像手段により撮像される
全体画像を縮小した状態で逐次合成して表示させ、
前記領域表示制御手段は、前記部分画像の所定位置に縮小した状態で合成されて表示さ
れている全体画像内にて、前記切出領域の位置及び大きさを示す枠を表示させる
ことを特徴とする請求項１〜５の何れか一項に記載の撮像装置。
【請求項７】
前記領域表示制御手段は、前記ライブビュー表示制御手段により前記ライブビュー画像
として前記表示手段に逐次表示されている全体画像内に、前記切出領域を示す枠を表示さ
せる
ことを特徴とする請求項１〜６の何れか一項に記載の撮像装置。
【請求項８】
前記領域表示制御手段は、前記第１の操作が行われると、前記ライブビュー画像として
の全体画像内で大きさ及び形状を固定した前記切出領域を示す枠を表示させるとともに、
前記切出領域以外の領域の画像の前記所定の表示態様での表示状態を解除する
ことを特徴とする請求項１〜７の何れか一項に記載の撮像装置。
【請求項９】
前記切出領域内の前記特定の被写体の前記撮像手段の撮像範囲に対する相対的な移動を
検出する移動検出手段を更に備え、
前記変位手段は、前記移動検出手段により検出される前記特定の被写体の相対的な移動
に合わせて、前記撮像範囲内における前記切出領域の位置を変位させる
ことを特徴とする請求項１〜８の何れか一項に記載の撮像装置。
【請求項１０】
撮像装置を用いた撮像方法であって、
撮像手段により逐次撮像される全体画像をライブビュー画像として表示手段に逐次表示
させるライブビュー表示制御処理と、
前記ライブビュー表示制御処理による前記ライブビュー画像としての全体画像の表示中
に、前記撮像手段の撮像範囲内の所定位置に切出領域を設定する設定処理と、
前記撮像手段の撮像範囲内の特定の被写体の移動に追従させるように、この撮像範囲内
における前記切出領域の位置を変位させる変位処理と、
第１の操作が行われるまでは、前記撮像範囲内における前記切出領域の位置を固定させ
るとともに、前記第１の操作が行われると、前記変位処理により前記切出領域の位置を変
位させる制御を行う変位制御処理と、
前記第１の操作が行われるまでは、前記ライブビュー表示制御処理により前記ライブビ
ュー画像として前記表示手段に逐次表示されている全体画像内における前記切出領域以外
の領域の画像を、この切出領域に対応する部分画像に対して相対的に引き立たせないよう
な所定の表示態様で表示させる領域表示制御処理と、
を含むことを特徴とする撮像方法。
【請求項１１】
撮像装置のコンピュータを、
撮像手段により逐次撮像される全体画像をライブビュー画像として表示手段に逐次表示
させるライブビュー表示制御手段、
前記ライブビュー表示制御手段による前記ライブビュー画像としての全体画像の表示中
に、前記撮像手段の撮像範囲内の所定位置に切出領域を設定する設定手段、
前記撮像手段の撮像範囲内の特定の被写体の移動に追従させるように、この撮像範囲内
における前記切出領域の位置を変位させる変位手段、
第１の操作が行われるまでは、前記撮像範囲内における前記切出領域の位置を固定させ
るとともに、前記第１の操作が行われると、前記変位手段により前記切出領域の位置を変
位させる制御を行う変位制御手段、
前記第１の操作が行われるまでは、前記ライブビュー表示制御手段により前記ライブビ
ュー画像として前記表示手段に逐次表示されている全体画像内における前記切出領域以外
の領域の画像を、この切出領域に対応する部分画像に対して相対的に引き立たせないよう
な所定の表示態様で表示させる領域表示制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、撮像して得られる全体画像から、ズーム倍率に応じた一部分の領域を切り出してモニタ画面に拡大表示し、撮影指示に応じて記録するデジタルズーム機能を備えた撮像装置が知られている。また、ズーム前の広角画像を縮小した状態でモニタ画面の一部に合成して表示する技術も知られている（例えば、特許文献１参照）。
【先行技術文献】
【特許文献】
【０００３】
【特許文献１】特開２０１０−２３２９６２号公報
【発明の概要】
【発明が解決しようとする課題】
【０００４】
しかしながら、上記特許文献１のように、ズーム後の望遠画像にズーム前の広角画像を縮小した状態で合成して表示しただけでは、被写体の移動等には対応することができず、使い勝手が悪いといった問題がある。
【０００５】
本発明は、このような問題に鑑みてなされたものであり、本発明の課題は、デジタルズーム機能に関する使い勝手の向上を図ることができる撮像装置、撮像方法及びプログラムを提供することである。
【課題を解決するための手段】
【０００６】
上記課題を解決するため、本発明に係る撮像装置は、
撮像手段により逐次撮像される全体画像をライブビュー画像として表示手段に逐次表示
させるライブビュー表示制御手段と、
前記ライブビュー表示制御手段による前記ライブビュー画像としての全体画像の表示中
に、前記撮像手段の撮像範囲内の所定位置に切出領域を設定する設定手段と、
前記撮像手段の撮像範囲内の特定の被写体の移動に追従させるように、この撮像範囲内
における前記切出領域の位置を変位させる変位手段と、
第１の操作が行われるまでは、前記撮像範囲内における前記切出領域の位置を固定させ
るとともに、前記第１の操作が行われると、前記変位手段により前記切出領域の位置を変
位させる制御を行う変位制御手段と、
前記第１の操作が行われるまでは、前記ライブビュー表示制御手段により前記ライブビ
ュー画像として前記表示手段に逐次表示されている全体画像内における前記切出領域以外
の領域の画像を、この切出領域に対応する部分画像に対して相対的に引き立たせないよう
な所定の表示態様で表示させる領域表示制御手段と、
を備えたことを特徴としている。
【発明の効果】
【０００７】
本発明によれば、デジタルズーム機能に関する使い勝手の向上を図ることができる。
【図面の簡単な説明】
【０００８】
【図１】本発明を適用した実施形態１の撮像装置の概略構成を示すブロック図である。
【図２】図１の撮像装置による撮影処理に係る動作の一例を示すフローチャートである。
【図３】図２の撮影処理を説明するための図である。
【図４】図２の撮影処理を説明するための図である。
【図５】図２の撮影処理を説明するための図である。
【図６】本発明を適用した実施形態２の撮像装置の概略構成を示すブロック図である。
【図７】図６の撮像装置による撮影処理に係る動作の一例を示すフローチャートである。
【図８】図７の撮影処理を説明するための図である。
【図９】図７の撮影処理を説明するための図である。
【図１０】図７の撮影処理を説明するための図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の撮像装置１００の概略構成を示すブロック図である。
図１に示すように、実施形態１の撮像装置１００は、具体的には、中央制御部１と、第１メモリ２と、撮像部３と、信号処理部４と、第１画像処理部５と、第１表示部６と、画質設定部７と、第１記録制御部８と、記録部９と、操作入力部１０とを備えている。
また、中央制御部１、第１メモリ２、撮像部３、信号処理部４、第１画像処理部５、第１表示部６、画質設定部７及び第１記録制御部８は、バスライン１１を介して接続されている。
【００１１】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１２】
第１メモリ２は、例えば、ＤＲＡＭ（Dynamic Random Access Memory）等により構成され、中央制御部１や第１画像処理部５等によって処理されるデータ等を一時的に格納する。
【００１３】
撮像部３は、被写体を任意の撮像フレームレートで撮像してフレーム画像を生成する。具体的には、撮像部３は、レンズ部３ａと、電子撮像部３ｂと、撮像制御部３ｃとを備えている。
【００１４】
レンズ部３ａは、例えば、ズームレンズやフォーカスレンズ等の複数のレンズ、レンズを通過する光の量を調整する絞り等から構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
撮像制御部３ｃは、例えば、タイミング発生器やドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から一画面分ずつフレーム画像を読み出して信号処理部４に出力させる。
なお、撮像制御部３ｃは、ＡＦ（自動合焦処理）、ＡＥ（自動露出処理）、ＡＷＢ（自動ホワイトバランス）等の被写体を撮像する際の条件の調整制御を行っても良い。
【００１５】
信号処理部４は、電子撮像部３ｂから転送されたフレーム画像のアナログ値の信号に対して各種の画像信号処理を施す。具体的には、信号処理部４は、例えば、フレーム画像のアナログ値の信号に対してＲＧＢの色成分毎に適宜ゲイン調整し、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行って、デジタル値の輝度信号Ｙ及び色差信号Ｃｂ，Ｃｒ（ＹＵＶデータ）を生成する。また、信号処理部４は、生成された輝度信号Ｙ及び色差信号Ｃｂ，Ｃｒをバッファメモリとして使用される第１メモリ２に出力する。
【００１６】
第１画像処理部５は、第１切出部５ａと、被写体位置検出部５ｂと、第１位置設定部５ｃと、第１被写体移動検出部５ｄと、第１変位部５ｅとを具備している。
なお、第１画像処理部５の各部は、例えば、所定のロジック回路から構成されているが、当該構成は一例であってこれに限られるものではない。
【００１７】
第１切出部５ａは、全体画像Ｉａ（図３（ａ）参照）から一部分の切出領域Ａを切り出す。
すなわち、第１切出部５ａは、撮像部３により被写体が撮像されることで信号処理部４により生成された全体画像ＩａのＹＵＶデータを第１メモリ２から取得し、全体画像Ｉａから、ズーム倍率に応じた一部分の切出領域Ａに対応する画像データを切り出す（図３（ｂ）参照）。具体的には、ユーザによる操作入力部１０のシャッタボタン１０ａの半押し操作（第１の操作）が行われると、第１切出部５ａは、当該半押し操作前に予め決められているズーム倍率（例えば、縦横それぞれ２倍等）、且つ、後述する第１位置設定部５ｃにより設定された切り出し位置で全体画像Ｉａから一部分の切出領域Ａを切り出す。
ここで、ズーム倍率に応じた一部分の切出領域Ａとは、例えば、デジタルズームや光学ズームにて全体画像Ｉａ内の一部分の領域をズームインした場合に撮像可能な領域のことを言う。例えば、縦横それぞれを２倍とするズーム倍率の場合、全体画像Ｉａ内の面積比で１／４のサイズの領域が切出領域Ａとなる。そして、切出領域Ａの部分画像Ｉｐを第１表示部６の表示パネル６ｂ全体に表示すると、当該切出領域Ａがズームインされて部分画像Ｉｐが拡大表示された状態となる。
また、ここでいう全体画像Ｉａとは、ズーム倍率に応じた一部分の切出領域を切り出す前の元となる画像のことであり、必ずしもイメージセンサ（撮像素子）の全画素に対応する画像でなくてもよい。
【００１８】
なお、ユーザによりシャッタボタン１０ａの半押し操作が行われた後、第１切出部５ａにより切り出される一部分の切出領域Ａに対応するズーム倍率を変更可能としても良い。つまり、例えば、シャッタボタン１０ａの半押し操作前に予め決められているズーム倍率（例えば、縦横それぞれ２倍等）で全体画像Ｉａから一部分の切出領域Ａが切り出された後に、ユーザによる操作入力部１０のズームボタン（後述）等の所定操作に応じてズーム倍率の調整が行われることで切出領域Ａのサイズを変更可能となっている（図４（ａ）及び図４（ｂ）参照）。
ここで、図４（ａ）には、ズーム倍率をより大きくした状態、すなわち、切出領域Ａのサイズをより小さくした状態を模式的に表し、図４（ｂ）には、ズーム倍率をより小さくした状態、すなわち、切出領域Ａのサイズをより大きくした状態を模式的に表している。
【００１９】
被写体位置検出部５ｂは、特定の被写体の位置を検出する。
すなわち、被写体位置検出部５ｂは、撮像部３により撮像される画角内における特定の被写体の位置を検出する。具体的には、例えば、予め記録部９に特定の被写体の認識用の特徴情報（特定の被写体の顔画像等）を記録しておき、被写体位置検出部５ｂは、撮像部３により撮像された全体画像Ｉａ内で記録部９に記録されている特徴情報と照合する被写体認識処理を行うことで、特定の被写体を検出する（図３（ｂ）参照）。このとき、全体画像Ｉａ（画角）内の所定位置（例えば、略中央等）を基準とする所定範囲内から特定の被写体を検出するようにしても良い。また、ユーザが指定したタイミングで（例えば、シャッタボタン１０ａの半押し操作が行われた時に）全体画像Ｉａ（画角）内の所定位置（例えば、略中央等）を基準とする所定範囲内に存在している被写体を特定の被写体とし、この部分の画像を特徴情報として取得するとともに一時的に記録し、一時的に記録された画像（特徴情報）の移動を検出するようにしても良い。なお、図３（ｂ）や図３（ｃ）等（後述）にあっては、検出された特定の被写体の顔の位置に、顔検出枠を重畳表示させているが、一例であってこれに限られるものではなく、顔検出枠を重畳表示させるか否かは適宜任意に変更可能である。
そして、上記した処理により特定の被写体が検出されると、被写体位置検出部５ｂは、全体画像Ｉａ内での特定の被写体の位置（例えば、ＸＹ座標等）を検出する。
【００２０】
なお、特定の被写体は、上記した処理により検出されるものに限られるものではなく、例えば、顔検出処理にて検出された最も大きい顔を有する被写体（最も近距離にいる被写体）であっても良い。
【００２１】
第１位置設定部５ｃは、切出領域Ａの切り出し位置を設定する。
すなわち、第１位置設定部５ｃは、ユーザによるシャッタボタン１０ａの半押し操作が行われると、被写体位置検出部５ｂにより検出される特定の被写体の位置を第１切出部５ａにより切り出される切出領域Ａの切り出し位置として設定する。
具体的には、例えば、ユーザによりシャッタボタン１０ａの半押し操作が行われた際に、被写体位置検出部５ｂが、画角内の所定位置（例えば、略中央等）に存する特定の被写体を検出したり、画角内から上記の被写体認識処理により特定の被写体を検出したりすると、第１位置設定部５ｃは、検出された特定の被写体の位置を基準として、当該特定の被写体が切出領域Ａに含まれるように切り出し位置を設定する。例えば、第１位置設定部５ｃは、検出された特定の被写体の位置が切出領域Ａの所定位置（例えば、略中央）に位置するように切り出し位置を設定する。
【００２２】
第１被写体移動検出部５ｄは、特定の被写体の移動を検出する。
すなわち、第１被写体移動検出部５ｄは、撮像部３により撮像される画角に対する特定の被写体の相対的な移動を検出する。具体的には、第１被写体移動検出部５ｄは、撮像部３により撮像されて信号処理部４により逐次生成された複数のフレーム画像のＹＵＶデータに対して、例えば、上記した被写体位置検出部５ｂによる被写体認識処理や、一旦検出された特定の被写体の追跡用の情報（例えば、特徴点、輝度情報、色情報等）を用いた動体追跡処理等を行うことにより、各フレーム画像内から特定の被写体を逐次検出することで、例えば、手ぶれに起因する撮像装置１００本体の移動や特定の被写体の動き自体に伴って生じる当該特定の被写体の相対的な移動を検出する。
なお、撮影される画角に対する特定の被写体の相対的な移動を検出する場合、例えば、特定の被写体が動体でなければ、この特定の被写体は、画角内における他の被写体（例えば、背景全体）と一緒に画角内で移動するため、撮影される画角内における他の被写体（例えば、背景全体）の移動を検出することにより、特定の被写体の移動を検出するようにしてもよい。
【００２３】
第１変位部５ｅは、特定の被写体の相対的な移動に合わせて、全体画像Ｉａ内での切出領域Ａの切り出し位置を変位させる。
すなわち、第１変位部５ｅは、ユーザによるシャッタボタン１０ａの半押し操作が行われた後、第１被写体移動検出部５ｄにより検出される特定の被写体の相対的な移動に合わせて、第１切出部５ａにより切り出される切出領域Ａの切り出し位置を変位させる。具体的には、第１変位部５ｅは、第１位置設定部５ｃにより特定の被写体の位置を基準として設定された全体画像Ｉａ内での切出領域Ａの切り出し位置を特定の被写体の相対的な移動に合わせて変位させる。つまり、例えば、第１位置設定部５ｃにより特定の被写体の位置が切出領域Ａの略中央に位置するように切り出し位置が設定された場合には、第１被写体移動検出部５ｄにより画角内での特定の被写体の相対的な移動が検出されても、第１変位部５ｅが、当該特定の被写体の相対的な移動に合わせて切出領域Ａの切り出し位置を変位させることで、切出領域Ａ内での特定の被写体の位置は変化しないこととなる。
例えば、第１被写体移動検出部５ｄにより特定の被写体の特徴点の追跡が行われて当該特定の被写体の動きベクトルが算出されると、第１変位部５ｅは、算出された特定の被写体の動きベクトルに基づいて、切出領域Ａの切り出し位置を変位させる第１の動作を行う（図５（ａ）参照）。また、例えば、第１被写体移動検出部５ｄにより被写体認識処理が行われた場合には、第１変位部５ｅは、認識された特定の被写体の認識位置の移動に基づいて、切出領域Ａの切り出し位置を変位させる第２の動作を行う（図５（ｂ）参照）。さらに、第１変位部５ｅは、例えば、当該撮像装置１００本体のレンズ部３ａの光軸方向を基準とするピッチ方向、ヨー方向、ロール方向の回転を図示しない角速度センサ等により検出し、検出される回転方向や回転量に基づいて、切出領域Ａの切り出し位置を変位させる第３の動作を行っても良い。
【００２４】
また、第１変位部５ｅは、上記した第１〜第３の動作を手動で或いは自動的に切換えて実行可能である。
例えば、第１〜第３の動作を自動的に切換える場合、第１変位部５ｅは、被写体認識処理にて、予め記録部９に特定の被写体の認識用の特徴情報（特定の被写体の顔画像等）が記録された特定の被写体が画角内に存するか否かを基準として、第２の動作と、第１の動作或いは第３の動作とを切換えても良い。また、例えば、第１変位部５ｅは、動体追跡処理の結果から特定の被写体が動体であるか否かを基準として、第２の動作と、第１の動作或いは第３の動作とを切換えても良い。さらに、例えば、第１変位部５ｅは、角速度センサ（図示略）等からユーザにより当該撮像装置１００本体を変位させる速度が検出された場合には、検出された速度が所定の速度以上となったか否かに応じて、第３の動作と、第１の動作或いは第２の動作とを切換えても良い。
なお、第１〜第３の動作のうち、少なくとも何れか二つを組み合わせて、複合的な制御で切出領域Ａの切り出し位置を変位させるようにしても良い。
【００２５】
第１表示部６は、第１表示制御部６ａと、表示パネル６ｂとを具備している。
【００２６】
第１表示制御部６ａは、第１メモリ２や記録部９から読み出され第１画像処理部５により復号された所定サイズの画像データに基づいて、所定の画像を表示パネル６ｂの表示領域に表示させる制御を行う。具体的には、第１表示制御部６ａは、ＶＲＡＭ（Video Random Access Memory）、ＶＲＡＭコントローラ、デジタルビデオエンコーダなどを備えている。そして、デジタルビデオエンコーダは、第１画像処理部５により復号されてＶＲＡＭに記録されている輝度信号Ｙ及び色差信号Ｃｂ，Ｃｒを、ＶＲＡＭコントローラを介してＶＲＡＭから所定の再生フレームレートで読み出して、これらのデータを元にビデオ信号を発生して表示パネル６ｂに出力する。なお、第１画像処理部５は、例えば、表示パネル６ｂの表示解像度等に基づいて所定サイズ（例えば、フルＨＤサイズ）に変形しても良い。
【００２７】
また、第１表示制御部６ａは、静止画像や動画像の撮影モードにて、撮像部３により逐次撮像される全体画像Ｉａに係る複数のフレーム画像を所定の再生フレームレートで逐次更新しながらライブビュー画像を表示パネル６ｂに表示させる。さらに、ユーザによるシャッタボタン１０ａの半押し操作が行われると、第１表示制御部６ａは、表示パネル６ｂに逐次表示されるライブビュー画像を全体画像Ｉａから第１切出部５ａにより切り出される切出領域Ａに対応する部分画像Ｉｐに切り換えて表示させる（図３（ｃ）参照）。すなわち、第１表示制御部６ａは、第１切出部５ａにより逐次切り出される切出領域Ａに対応する部分画像Ｉｐをライブビュー画像として表示パネル６ｂに逐次表示させる。
【００２８】
さらに、第１表示制御部６ａは、部分画像Ｉｐをライブビュー画像として表示パネル６ｂに逐次表示させる場合には、表示されている部分画像Ｉｐの所定位置に、撮像部３により撮像される全体画像Ｉａを縮小した状態で逐次合成して表示させる（図３（ｃ）参照）。このとき、第１表示制御部６ａは、部分画像Ｉｐの所定位置に縮小した状態で合成されている全体画像Ｉａ内に、例えば、第１切出部５ａにより切り出される切出領域Ａを示す枠Ｗを表示させることで当該切出領域Ａを識別可能に表示させても良い。
なお、図３（ｃ）にあっては、部分画像Ｉｐの右下隅部に、縮小した状態の全体画像Ｉａを合成して表示したものを例示したが、全体画像Ｉａの合成位置は一例であってこれに限られるものではなく、適宜任意に変更可能である。
【００２９】
表示パネル６ｂは、第１表示制御部６ａからのビデオ信号に基づいて撮像部３により撮像された画像などを表示領域内に表示する。さらに、表示パネル６ｂは、第１記録制御部８により部分画像Ｉｐと全体画像Ｉａとが対応付けて記録されている場合には、これらの部分画像Ｉｐと全体画像Ｉａとを切り換えながら再生しても良い。ここで、部分画像Ｉｐと全体画像Ｉａとを切り換える再生にて、例えば、スライドショー再生等にて一般的に行われているズームイン／ズームアウト等のエフェクトを適用しても良い。
【００３０】
なお、表示パネル６ｂとしては、例えば、液晶表示パネルや有機ＥＬ（Electro-Luminescence）表示パネルなどが挙げられるが、一例であってこれらに限られるものではない。
【００３１】
画質設定部７は、記録部９に記録される画像の画質を設定する。
例えば、ＪＰＥＧ形式で圧縮する場合、圧縮率に応じて画質が変化するため、画質設定部７は、ユーザによる操作入力部１０の所定操作に基づいて、記録部９に記録される部分画像Ｉｐや全体画像Ｉａの圧縮率（例えば、１／２、１／４等）を設定することで、当該部分画像Ｉｐや全体画像Ｉａの画質を設定する。
【００３２】
第１記録制御部８は、記録部９からのデータの読み出しや記録部９に対するデータの書き込みを制御する。
すなわち、第１記録制御部８は、例えば、不揮発性メモリ（フラッシュメモリ）や記録媒体等により構成された記録部９に、所定の圧縮形式（例えば、ＪＰＥＧ形式等）で符号化された画像の記録用の画像データを記録させる。具体的には、第１記録制御部８は、ユーザによりシャッタボタン１０ａの全押し操作（第１の操作と異なる第２の操作）が行われた際に、第１切出部５ａにより切り出された切出領域Ａに対応する部分画像Ｉｐを記録部９に記録させる。また、第１記録制御部８は、第１切出部５ａにより切り出された切出領域Ａに対応する部分画像Ｉｐと撮像部３により撮像される全体画像Ｉａとを対応付けて記録部９に記録させる（図６参照）。
【００３３】
また、第１記録制御部８は、部分画像Ｉｐと全体画像Ｉａの両方を記録させるか、或いは、何れか一方を記録させるかを選択可能であり、例えば、部分画像Ｉｐと全体画像Ｉａとを対応付けて記録する所定の撮影モードが設定されている場合等に、第１記録制御部８は、ユーザによるシャッタボタン１０ａの全押し操作が行われると、第１切出部５ａにより切り出された切出領域Ａに対応する部分画像Ｉｐと、当該切出領域Ａの切り出しと同じタイミングで撮像部３により撮像される全体画像Ｉａ、つまり、部分画像Ｉｐの切り出しが行われた全体画像Ｉａとを対応付けて記録部９に記録させる。
このとき、第１記録制御部８は、部分画像Ｉｐと全体画像Ｉａとを個別に圧縮して別々のファイルとして記録部９に記録させる。すなわち、第１記録制御部８は、部分画像Ｉｐと全体画像Ｉａとを、画質設定部７により設定された同一の画質に対応する圧縮率や、互いに異なる画質に対応する異なる圧縮率で個別に圧縮して別々のファイルとして記録部９に記録させる。ここで、部分画像Ｉｐと全体画像Ｉａとを互いに異なる画質とする場合、第１記録制御部８は、部分画像Ｉｐよりも全体画像Ｉａの方がより低画質となるような圧縮率で個別に圧縮して別々のファイルとして記録部９に記録させるようになっている。
【００３４】
操作入力部１０は、当該撮像装置１００の所定操作を行うためのものである。具体的には、操作入力部１０は、被写体の撮影指示に係り、半押し操作（第１の操作）及び全押し操作（第２の操作）の二段階での操作が可能なシャッタボタン１０ａ、撮影モードや機能等の選択指示に係る選択決定ボタン（図示略）、ズーム量の調整指示に係るズームボタン（図示略）等の操作部を備えている。
そして、ユーザにより各種ボタンが操作されると、操作入力部１０は、操作されたボタンに応じた操作信号を中央制御部１に出力する。中央制御部１は、操作入力部１０から出力され入力された操作指示に従って所定の動作（例えば、静止画像の撮影等）を各部に実行させる。
【００３５】
＜撮影処理＞
次に、撮像装置１００による撮影処理について、図２〜図５（ｂ）を参照して説明する。
図２は、撮影処理に係る動作の一例を示すフローチャートである。また、図３（ａ）〜図５（ｂ）は、撮影処理を説明するための図である。
【００３６】
なお、以下に説明する撮影処理では、予め部分画像Ｉｐや全体画像Ｉａの圧縮率（例えば、１／２、１／４等）が画質設定部７により設定されているものとする。また、部分画像Ｉｐと全体画像Ｉａとを対応付けて記録する所定の撮影モードが設定されているものとする。
【００３７】
図２に示すように、先ず、撮像部３は、被写体の撮像を開始して、第１表示制御部６ａは、信号処理部４により生成された全体画像Ｉａに係る複数のフレーム画像の表示用の画像データに基づいて、ライブビュー画像を表示パネル６ｂに表示させる（ステップＳ１）。
その後、中央制御部１のＣＰＵは、ユーザによる操作入力部１０のシャッタボタン１０ａの半押し操作が行われたか否かを判定する（ステップＳ２）。
ここで、シャッタボタン１０ａの半押し操作が行われていないと判定されると（ステップＳ２；ＮＯ）、中央制御部１のＣＰＵは、処理をステップＳ１に戻し、上記と同様に、第１表示制御部６ａは、ライブビュー画像を表示パネル６ｂに表示させる。
【００３８】
一方、ステップＳ２にて、シャッタボタン１０ａの半押し操作が行われたと判定されると（ステップＳ２；ＹＥＳ）、被写体位置検出部５ｂは、例えば、予め記録部９に記録されている特定の被写体の認識用の特徴情報を用いて被写体認識処理を行って、撮像部３により撮像される画角内における特定の被写体の位置を検出する（ステップＳ３）。続けて、第１位置設定部５ｃは、被写体位置検出部５ｂにより検出された特定の被写体の位置を基準として、当該特定の被写体が切出領域Ａに含まれるように切り出し位置を設定する（ステップＳ４）。
その後、第１切出部５ａは、第１位置設定部５ｃにより設定された切り出し位置で、且つ、半押し操作前に予め決められているズーム倍率で、信号処理部４により生成された全体画像ＩａのＹＵＶデータから一部分の切出領域Ａに対応する画像データを逐次切り出し、第１表示制御部６ａは、第１切出部５ａにより逐次切り出される切出領域Ａに対応する部分画像Ｉｐをライブビュー画像として表示パネル６ｂに逐次表示させる（ステップＳ５）。このとき、第１表示制御部６ａは、表示されている部分画像Ｉｐの所定位置（例えば、右下隅部等）に、撮像部３により撮像される全体画像Ｉａを縮小した状態で逐次合成して表示させる（図３（ｃ）参照）。
【００３９】
続けて、第１被写体移動検出部５ｄは、例えば、被写体認識処理や動体追跡処理等を行って、撮像部３により撮像される画角内における特定の被写体の相対的な移動を検出したか否かを判定する（ステップＳ６）。
ここで、特定の被写体の相対的な移動を検出したと判定されると（ステップＳ６；ＹＥＳ）、第１変位部５ｅは、第１被写体移動検出部５ｄにより検出される特定の被写体の移動に合わせて、具体的には、例えば、特定の被写体の動きベクトルや特定の被写体の認識位置の移動に基づいて、第１切出部５ａにより切り出される切出領域Ａの切り出し位置を変位させる（ステップＳ７）。
【００４０】
その後、中央制御部１のＣＰＵは、ユーザによる操作入力部１０のシャッタボタン１０ａの全押し操作が行われたか否かを判定する（ステップＳ８）。また、ステップＳ６にて、特定の被写体の相対的な移動を検出していないと判定された場合にも（ステップＳ６；ＮＯ）、中央制御部１のＣＰＵは、処理をステップＳ８に以降して、シャッタボタン１０ａの全押し操作が行われたか否かを判定する。
ここで、シャッタボタン１０ａの全押し操作が行われていないと判定されると（ステップＳ８；ＮＯ）、中央制御部１のＣＰＵは、処理をステップＳ６に戻し、上記と同様に、第１被写体移動検出部５ｄは、特定の被写体の相対的な移動を検出したか否かを判定する。
なお、シャッタボタン１０ａの全押し操作が行われずに、シャッタボタン１０ａの半押し操作自体が解除された場合には、中央制御部１のＣＰＵは、処理をステップＳ１に戻し、上記と同様に、第１表示制御部６ａは、ライブビュー画像を表示パネル６ｂに表示させる。
【００４１】
一方、ステップＳ８にて、シャッタボタン１０ａの全押し操作が行われたと判定されると（ステップＳ８；ＹＥＳ）、第１切出部５ａは、信号処理部４により生成された全体画像ＩａのＹＵＶデータから、全体画像Ｉａ内に設定されている一部分の切出領域Ａに対応する画像データを切り出し、第１記録制御部８は、第１切出部５ａにより切り出された切出領域Ａに対応する部分画像Ｉｐと、当該切出領域Ａの切り出しが行われた全体画像Ｉａとを個別に圧縮して別々のファイルとし、これらを対応付けて記録部９に記録させる（ステップＳ９）。
これにより、撮影処理を終了する。
【００４２】
以上のように、実施形態１の撮像装置１００によれば、シャッタボタン１０ａの半押し操作が行われると、逐次表示されるライブビュー画像を全体画像Ｉａから一部分の切出領域Ａに対応する部分画像Ｉｐに切り換えて表示させ、シャッタボタン１０ａの半押し操作が行われた後は、画角に対する特定の被写体の相対的な移動が検出されると、当該特定の被写体の相対的な移動に合わせて、切出領域Ａの切り出し位置を変位させ、シャッタボタン１０ａの全押し操作が行われた際に、切り出された切出領域Ａに対応する部分画像Ｉｐを記録するので、シャッタボタン１０ａの半押し操作が行われた段階で、ズーム倍率に応じた一部分の切出領域Ａに対応する部分画像Ｉｐをライブビュー画像として表示してユーザに認識させることができるだけでなく、画角内における特定の被写体の移動に合わせて、切出領域Ａの切り出し位置を変位させることで、仮に、画角内にて特定の被写体の移動が生じてもユーザが構図の調整を行う必要がなくなり、撮像装置１００のデジタルズーム機能に関する使い勝手の向上を図ることができる。
また、シャッタボタン１０ａの半押し操作が行われる前は、ユーザが画角を変えることにより切り出し対象となる特定の被写体を自由に変えることができ、シャッタボタン１０ａの半押し操作が行われたタイミングで切り出し対象となる特定の被写体を決定し、その後、半押し状態が継続している間は、画角を変えた場合でも切り出し対象として決定した特定の被写体を追尾（固定）することができ、切り出し対象となる特定の被写体の変更、決定、追尾（固定）を容易に行うことが可能となる。また、ユーザによりシャッタボタン１０ａの半押し操作が行われた状態で、画像の記録を行いたい場合には、ユーザはそのままシャッタボタン１０ａを全押しすればよく、また、切り出し対象となる特定の被写体を変更したい場合には、ユーザはシャッタボタン１０ａの半押しを解除すればよいため、画像の記録を含めた素早い操作が可能となる。
さらに、例えば、部分画像Ｉｐと全体画像Ｉａとを対応付けて記録する所定の撮影モードが設定されている場合等に、切出領域Ａに対応する部分画像Ｉｐと当該切出領域Ａの切り出しと同じタイミングで撮像された全体画像Ｉａとを対応付けて記録することで、部分画像Ｉｐの全体画像Ｉａに対する位置関係の把握をより容易に行うこともできる。
【００４３】
また、ライブビュー画像として逐次表示される切出領域Ａに対応する部分画像Ｉｐの所定位置に、撮像部３により撮像される全体画像Ｉａを縮小した状態で逐次合成して表示することができる。具体的には、部分画像Ｉｐの所定位置に縮小した状態で合成されている全体画像Ｉａ内にて、切り出される切出領域Ａを識別可能に表示することができる。これにより、部分画像Ｉｐの全体画像Ｉａ内での位置関係の把握をより容易に行うことができる。
【００４４】
また、シャッタボタン１０ａの半押し操作が行われると、画角内から検出される特定の被写体の位置を切出領域Ａの切り出し位置として設定するので、特定の被写体の位置を基準として切出領域Ａの切り出し位置を設定することができる。例えば、シャッタボタン１０ａの半押し操作が行われた際に、画角内の所定位置に存する特定の被写体の位置や画角内にて認識される特定の被写体の位置を基準として、切出領域Ａの切り出し位置を設定することができる。
さらに、特定の被写体の相対的な移動に合わせて、設定された切出領域Ａの切り出し位置を変位させるので、仮に、画角に対する特定の被写体の相対的な移動が生じても、切出領域Ａの切り出し位置を変位させることで、ユーザが構図の調整を行う必要がなくなる。例えば、特定の被写体の動きベクトルや特定の被写体の認識位置の移動に基づいて、当該特定の被写体に追従させるように切出領域Ａの切り出し位置を変位させることができる。また、撮像装置１００本体のレンズ部３ａの光軸方向を基準とする回転に基づいて、当該特定の被写体に追従させるように切出領域Ａの切り出し位置を変位させることもできる。
【００４５】
また、切出領域Ａの切り出し位置を変位させる動作を切換えて実行することもでき、例えば、予め被写体認識用の特徴情報が記録された特定の被写体が画角内に存するか否かや、特定の被写体が動体であるか否かや、ユーザにより当該撮像装置１００本体を変位させる速度等を基準として、より最適な手法で切出領域Ａの切り出し位置を変位させることで、仮に、画角内にて特定の被写体の移動が生じても、当該特定の被写体に追従させるように切出領域Ａの切り出し位置を変位させることができる。
【００４６】
また、シャッタボタン１０ａの半押し操作前に予め決められているズーム倍率で切出領域Ａを全体画像Ｉａから切り出すので、ユーザに対して撮影の際に特別な操作を不要とすることができる。さらに、シャッタボタン１０ａの半押し操作が行われた後は、切出領域Ａに対応するズーム倍率を変更可能であるので、例えば、部分画像Ｉｐの構図を考慮して切出領域Ａのサイズを変更することができる。
【００４７】
また、部分画像Ｉｐと全体画像Ｉａとを個別に圧縮して別々のファイルとして記録するので、部分画像Ｉｐと全体画像Ｉａとを個別に管理することができる。このとき、部分画像Ｉｐと全体画像Ｉａとを、画質設定部７により設定された同一の画質に対応する圧縮率や、互いに異なる画質に対応する異なる圧縮率（例えば、部分画像Ｉｐよりも全体画像Ｉａの方がより低画質となるような圧縮率等）で個別に圧縮して別々のファイルとして記録することができる。
【００４８】
さらに、対応付けて記録された部分画像Ｉｐと全体画像Ｉａとを切り換えながら再生するので、部分画像Ｉｐの全体画像Ｉａ内での位置関係の把握をより容易に行うことができるだけでなく、画像の再生を興趣性の高いものとすることができる。
【００４９】
また、部分画像Ｉｐと全体画像Ｉａの両方を記録するか、或いは、何れか一方を記録するかを選択可能であるので、記録される画像を必要に応じて選択することで、撮像装置１００の使い勝手の向上を図ることができる。
【００５０】
［実施形態２］
以下に、実施形態２の撮像装置２００について、図６〜図１０を参照して説明する。
実施形態２の撮像装置２００は、以下に詳細に説明する以外の点で上記実施形態１の撮像装置１００と略同様の構成をなし、詳細な説明は省略する。
【００５１】
図６は、本発明を適用した実施形態２の撮像装置２００の概略構成を示すブロック図である。
図６に示すように、実施形態２の撮像装置２００は、具体的には、中央制御部１と、第２メモリ２０２と、撮像部３と、信号処理部４と、第２画像処理部２０５と、第２表示部２０６と、画質設定部７と、第２記録制御部２０８と、記録部９と、操作入力部１０とを備えている。
【００５２】
第２メモリ２０２は、上記実施形態１における第１メモリ２と同様に、例えば、ＤＲＡＭ等により構成され、中央制御部１や第２画像処理部２０５等によって処理されるデータ等を一時的に格納する。
また、第２メモリ２０２は、切出領域Ａ（図８（ａ）等参照）のサイズ（大きさ）及び形状の組み合わせが規定されている切出領域テーブルＴを記録している。この切出領域テーブルＴには、具体的には、切出領域Ａのサイズ及び形状のうちの少なくとも一方を異ならせた複数の組み合わせが規定されている。
切出領域Ａのサイズ及び形状は、例えば、デジタルズームや光学ズームにて全体画像Ｉａ（図１０（ｂ）参照）内の一部分の領域を所定のズーム倍率でズームインした場合に撮像可能な領域の縦横の画素数や、全体画像Ｉａの縦横各々の画素数に対する当該切出領域Ａの縦横各々の相対的な割合等を異ならせることで複数規定されている。例えば、切出領域Ａの形状には、縦長の形状（図８（ａ）参照）や横長の形状（図８（ｂ）参照）があり、各形状について、サイズを異ならせたものがそれぞれ切出領域テーブルＴに規定されている。
なお、図８（ａ）や図８（ｂ）に例示した切出領域Ａのサイズや形状は、一例であってこれらに限られるものではなく、適宜任意に変更可能である。例えば、切出領域Ａの形状は、円形や楕円形であっても良いし、矩形以外の多角形であっても良いし、星形やハート形などであっても良いし、ユーザによる操作入力部１０の所定操作等に基づいて指定された任意の形など、全体画像Ｉａ内の一部分の領域を囲繞する形であれば良い。
【００５３】
第２画像処理部２０５は、第２位置設定部２０５ａと、第２被写体移動検出部２０５ｂと、第２変位部２０５ｃと、変位制御部２０５ｄと、第２切出部２０５ｅとを具備している。
なお、第２画像処理部２０５の各部は、上記実施形態１における第１画像処理部５と同様に、例えば、所定のロジック回路から構成されているが、当該構成は一例であってこれに限られるものではない。
【００５４】
第２位置設定部２０５ａは、撮像部３の撮像範囲内の所定位置に切出領域Ａを設定する。
すなわち、例えば、部分画像Ｉｐと全体画像Ｉａとを対応付けて記録する所定の撮影モードが設定されている場合において、表示パネル６ｂにライブビュー画像としての全体画像Ｉａの表示中に、第２位置設定部２０５ａは、撮像部３の撮像範囲（画角）内の所定位置（例えば、略中央等）に切出領域Ａを設定する。ここで、切出領域Ａのサイズや形状は、例えば、切出領域テーブルＴにデフォルトとして設定されているサイズや形状であっても良いし、前回設定された切出領域Ａのサイズや形状であっても良い。
なお、第２位置設定部２０５ａは、上記実施形態１における第１位置設定部５ｃと略同様に、例えば、被写体認識処理等により画角内から特定の被写体が検出されると、検出された特定の被写体の位置を基準として、当該特定の被写体が含まれるように切出領域Ａを設定しても良い。
【００５５】
第２被写体移動検出部２０５ｂは、特定の被写体の移動を検出する。
すなわち、第２被写体移動検出部２０５ｂは、第２位置設定部２０５ａにより設定された切出領域Ａ内の特定の被写体の撮像部３の撮像範囲に対する相対的な移動を検出する。
具体的には、第２被写体移動検出部２０５ｂは、例えば、全体画像Ｉａにおける切出領域Ａに対して、上記実施形態１と同様の被写体認識処理を行って当該切出領域Ａ内から特定の被写体を検出する。そして、第２被写体移動検出部２０５ｂは、上記実施形態１における第１被写体移動検出部５ｄと略同様に、信号処理部４により生成されたライブビュー画像（全体画像Ｉａ）に係る複数のフレーム画像のＹＵＶデータに対して、上記した被写体認識処理や、一旦検出された特定の被写体の追跡用の情報（例えば、特徴点、輝度情報、色情報等）を用いた動体追跡処理等を行うことにより、各フレーム画像の切出領域Ａ内から特定の被写体を逐次検出する。これにより、第２被写体移動検出部２０５ｂは、切出領域Ａ内の特定の被写体の撮像部３の撮像範囲に対する相対的な移動を逐次検出する。
【００５６】
第２変位部２０５ｃは、切出領域Ａの位置を変位させる。
すなわち、第２変位部２０５ｃは、撮像部３の撮像範囲内の特定の被写体の移動に追従させるように、この撮像範囲内における切出領域Ａの位置を変位させる。具体的には、第２変位部２０５ｃは、上記実施形態１における第１変位部５ｅと略同様に、ユーザによるシャッタボタン１０ａの半押し操作が行われた後、第２被写体移動検出部２０５ｂにより検出される特定の被写体の相対的な移動に合わせて、撮像部３の撮像範囲内における切出領域Ａの位置を変位させる。
【００５７】
変位制御部２０５ｄは、切出領域Ａの変位を制御する。
すなわち、変位制御部２０５ｄは、ユーザによるシャッタボタン１０ａの半押し操作（第１の操作）が行われるまでは、撮像部３の撮像範囲内の所定位置（例えば、略中央等）に切出領域Ａの位置を固定した状態とする制御を行う。さらに、ユーザによるシャッタボタン１０ａの半押し操作が行われるまでは、例えば、切出領域テーブルＴに規定されている切出領域Ａのサイズ及び形状の複数の組み合わせの中から、ユーザが所望するサイズ及び形状の組み合わせがユーザによる操作入力部１０の所定操作（第３の操作）に基づいて選択されることで、変位制御部２０５ｄは、撮像部３の撮像範囲に対して切出領域Ａの位置を固定した状態で、当該切出領域Ａのサイズ及び形状のうちの少なくとも一方を変更可能に制御しても良い（図８（ａ）及び図８（ｂ）参照）。
また、変位制御部２０５ｄは、ユーザによるシャッタボタン１０ａの半押し操作が行われると、第２変位部２０５ｃにより特定の被写体の移動に追従させるように切出領域Ａの位置を変位させる制御を行う。さらに、ユーザによるシャッタボタン１０ａの半押し操作が行われると、変位制御部２０５ｄは、このシャッタボタン１０ａの半押し操作が行われるまでに指定された切出領域Ａのサイズ及び形状を固定した状態で、第２変位部２０５ｃにより特定の被写体の移動に追従させるように切出領域Ａの位置を変位させる制御を行っても良い（図９（ｂ）参照）。
【００５８】
なお、ユーザによるシャッタボタン１０ａの半押し操作が行われるまでは、切出領域Ａのサイズや形状を変更可能としたが、一例であってこれに限られるものではなく、例えば、ユーザによるシャッタボタン１０ａの半押し操作が行われた後も、切出領域Ａのサイズや形状を変更可能とし、例えば、シャッタボタンの全押し操作（第２の操作）が行われた際に切出領域Ａのサイズや形状を固定するようにしても良い。
すなわち、ユーザによるシャッタボタン１０ａの半押し操作が行われると、切出領域Ａの位置は特定の被写体の移動に追従するように変位することから、当該切出領域Ａ内には常に特定の被写体が存している状態となっている。このため、例えば、切出領域Ａのサイズが大きくなるように変更する場合、当該切出領域Ａ内には特定の被写体が必ず存している状態となり、一方で、切出領域Ａのサイズが小さくなるように変更しても、当該切出領域Ａ内には少なくとも特定の被写体の一部分が存している状態となる。同様に、切出領域Ａの形状の変更により当該切出領域Ａの面積が小さくなっても、当該切出領域Ａ内には少なくとも特定の被写体の一部分が存している状態となる。ただし、第２被写体移動検出部２０５ｂによる被写体認識処理や動体追跡処理等を適正に行う上では、サイズや形状の変更後の切出領域Ａ内から改めて特定の被写体を検出する必要が生じる。
【００５９】
第２切出部２０５ｅは、全体画像Ｉａから切出領域Ａを切り出す。
すなわち、第２切出部２０５ｅは、上記実施形態１における第１切出部５ａと略同様に、ユーザによるシャッタボタン１０ａの半押し操作に続けて全押し操作が行われると、信号処理部４により生成された全体画像ＩａのＹＵＶデータを第２メモリ２０２から取得し、全体画像Ｉａ内の切出領域Ａに対応する部分画像Ｉｐの画像データを切り出す（図１０（ａ）参照）。つまり、ユーザによるシャッタボタン１０ａの半押し操作が行われた後は、変位制御部２０５ｄは、第２変位部２０５ｃにより特定の被写体の移動に追従させるように切出領域Ａの位置を変位させていき、第２切出部２０５ｅは、ユーザによるシャッタボタン１０ａの全押し操作が行われると、その時点での撮像部３の撮像範囲内における切出領域Ａの位置で全体画像Ｉａから切出領域Ａに対応する部分画像Ｉｐを切り出す。
【００６０】
第２表示部２０６は、第２表示制御部２０６ａと、表示パネル６ｂとを具備している。
【００６１】
第２表示制御部２０６ａは、上記実施形態１における第１表示制御部６ａと同様に、第２メモリ２０２や記録部９から読み出され第２画像処理部２０５により復号された所定サイズの画像データに基づいて、所定の画像を表示パネル６ｂの表示領域に表示させる制御を行う。すなわち、第２表示制御部２０６ａは、静止画像や動画像の撮影モードにて、撮像部３により逐次撮像される全体画像Ｉａに係る複数のフレーム画像を所定の再生フレームレートで逐次更新しながらライブビュー画像として表示パネル６ｂに表示させる。
【００６２】
また、第２表示制御部２０６ａは、第２位置設定部２０５ａにより設定された切出領域Ａ内の画像をライブビュー画像として表示パネル６ｂに表示させる。
ここで、第２表示制御部２０６ａは、ライブビュー画像として表示パネル６ｂに逐次表示されている全体画像Ｉａ内に、切出領域Ａを示す枠Ｗを表示させることで当該切出領域Ａを識別可能に表示させる。具体的には、ユーザによるシャッタボタン１０ａの半押し操作が行われるまで、すなわち、切出領域Ａのサイズ及び形状が固定されるまでに、例えば、切出領域テーブルＴに規定されている切出領域Ａのサイズ及び形状の複数の組み合わせの中から、ユーザが所望するサイズ及び形状の組み合わせがユーザによる操作入力部１０の所定操作（第３の操作）に基づいて選択された場合には、第２表示制御部２０６ａは、選択された組み合わせに対応するサイズ及び形状の切出領域Ａを示す枠Ｗを表示させることで、当該切出領域Ａを全体画像Ｉａ内で識別可能に表示させる。
【００６３】
さらに、第２表示制御部２０６ａは、ユーザによるシャッタボタン１０ａの半押し操作が行われるまでは、表示パネル６ｂに逐次表示されている全体画像Ｉａ内における切出領域Ａ以外の領域にマスク処理を施して、当該切出領域Ａ以外の領域の画像を半透過の表示状態で表示させる（図８（ａ）等参照）。これにより、第２表示制御部２０６ａは、切出領域Ａに対応する部分画像Ｉｐに対して、切出領域Ａ以外の領域の画像を相対的に目立たせないような所定の表示態様で表示させるようになっている。
そして、第２表示制御部２０６ａは、ユーザによるシャッタボタン１０ａの半押し操作が行われて切出領域Ａのサイズ及び形状が固定されると、当該切出領域Ａ以外の領域の画像の半透過の表示状態での表示を解除する（図９（ａ）参照）。これにより、第２表示制御部２０６ａは、ライブビュー画像としての全体画像Ｉａ内には、サイズ及び形状を固定した切出領域Ａを示す枠Ｗを表示させた状態となる。
【００６４】
なお、切出領域Ａ以外の領域の画像を相対的に目立たせないような所定の表示態様として、当該切出領域Ａ以外の領域の画像の半透過の表示状態を例示したが、一例であってこれに限られるものではなく、適宜任意に変更可能である。例えば、第２表示制御部２０６ａは、切出領域Ａ以外の領域の画像の明度や彩度や色相等を変更しても良いし、切出領域Ａ以外の領域の画像にモザイク処理やぼかし処理を施しても良いし、切出領域Ａ以外の領域をマスク画像により完全に覆っても良い。
【００６５】
なお、第２表示制御部２０６ａは、上記実施形態１における第１表示制御部６ａと同様に、ユーザによるシャッタボタン１０ａの半押し操作が行われると、表示パネル６ｂに逐次表示されるライブビュー画像を全体画像Ｉａから第２切出部２０５ｅにより切り出される切出領域Ａに対応する部分画像Ｉｐに切り換えて表示させても良い。
さらに、第２表示制御部２０６ａは、上記実施形態１における第１表示制御部６ａと同様に、部分画像Ｉｐをライブビュー画像として表示パネル６ｂに逐次表示させる場合に、表示されている部分画像Ｉｐの所定位置に、撮像部３により撮像される全体画像Ｉａを縮小した状態で逐次合成して表示させても良いし、部分画像Ｉｐの所定位置に縮小した状態で合成されている全体画像Ｉａ内に、第２切出部２０５ｅにより切り出される切出領域Ａの位置及びサイズを示す枠Ｗを表示させても良い。
【００６６】
第２記録制御部２０８は、上記実施形態１における第１記録制御部８と同様に、ユーザによるシャッタボタン１０ａの半押し操作（第１の操作）後に全押し操作（第２の操作）が行われると、撮像部３により撮像される全体画像Ｉａ内の第２切出部２０５ｅにより切り出された切出領域Ａに対応する部分画像Ｉｐ（図１０（ａ）参照）を記録部９に記録させる。
また、例えば、部分画像Ｉｐと全体画像Ｉａ（図１０（ｂ）参照）とを対応付けて記録する所定の撮影モードが設定されている場合等に、第２記録制御部２０８は、第２切出部２０５ｅにより切り出された切出領域Ａに対応する部分画像Ｉｐと、撮像部３により撮像される全体画像Ｉａとを対応付けて記録部９に記録させる。具体的には、第２記録制御部２０８は、部分画像Ｉｐと全体画像Ｉａとを個別に圧縮して別々のファイルとして記録部９に記録させることで、それぞれ独立して再生や削除が可能となるが、部分画像Ｉｐと全体画像Ｉａとを同じファイル名とすることで、当該部分画像Ｉｐと全体画像Ｉａとの対応付けを行う。
【００６７】
なお、部分画像Ｉｐから全体画像Ｉａに動的に切り換える視覚効果が施された動画情報（図示略）が生成されている場合には、第２記録制御部２０８は、この動画情報を部分画像Ｉｐや全体画像Ｉａと対応付けて記録部９に記録させても良い。すなわち、第２記録制御部２０８は、動画情報を部分画像Ｉｐ及び全体画像Ｉａとは別のファイルとして記録部９に記録させ、この動画情報のファイル名を部分画像Ｉｐ及び全体画像Ｉａと同じファイル名とすることで、当該動画情報と部分画像Ｉｐと全体画像Ｉａとの対応付けを行う。
【００６８】
＜撮影処理＞
次に、撮像装置２００による撮影処理について、図７〜図１０（ｂ）を参照して説明する。
図７は、撮影処理に係る動作の一例を示すフローチャートである。また、図８（ａ）〜図１０（ｂ）は、撮影処理を説明するための図である。
【００６９】
なお、以下に説明する撮影処理では、上記実施形態１の撮影処理と同様に、予め部分画像Ｉｐや全体画像Ｉａの圧縮率（例えば、１／２、１／４等）が画質設定部７により設定されているものとする。また、部分画像Ｉｐと全体画像Ｉａとを対応付けて記録する所定の撮影モードが設定されているものとする。
【００７０】
図７に示すように、先ず、撮像部３は、被写体の撮像を開始して、第２表示制御部２０６ａは、信号処理部４により生成された全体画像Ｉａに係る複数のフレーム画像の表示用の画像データに基づいて、ライブビュー画像を表示パネル６ｂに表示させる（ステップＳ１１）。
次に、第２位置設定部２０５ａは、撮像部３の撮像範囲内の略中央に、例えば、切出領域テーブルＴにデフォルトとして設定されているサイズや形状の切出領域Ａを設定する（ステップＳ１２）。そして、第２表示制御部２０６ａは、表示パネル６ｂに逐次表示されている全体画像Ｉａ内で切出領域Ａを示す枠Ｗを表示させるとともに、切出領域Ａ以外の領域にマスク処理を施して、当該切出領域Ａ以外の領域の画像を半透過の表示状態で表示させる（ステップＳ１３；図８（ａ）参照）。
【００７１】
その後、中央制御部１のＣＰＵは、ユーザによる操作入力部１０の所定操作に基づいて、切出領域Ａのサイズや形状を変更する指示が入力されたか否かを判定する（ステップＳ１４）。この判定は、例えば、切出領域テーブルＴに規定されている切出領域Ａのサイズ及び形状の複数の組み合わせの中から、何れか一のサイズ及び形状の組み合わせがユーザによる操作入力部１０の所定操作（第３の操作）に基づいて選択されたか否かに応じて行われる。
ここで、切出領域Ａのサイズや形状を変更する指示が入力されたと判定されると（ステップＳ１４；ＹＥＳ）、変位制御部２０５ｄは、撮像部３の撮像範囲に対して切出領域Ａの位置を略中央に固定した状態で、当該切出領域Ａのサイズや形状を指示された変更内容に応じて変更する（ステップＳ１５）。そして、処理をステップＳ１３に戻し、第２表示制御部２０６ａは、切出領域Ａのサイズ及び形状の変更に対応させて、表示パネル６ｂに当該変更後の切出領域Ａを示す枠Ｗを表示させるとともに、切出領域Ａ以外の領域の画像を半透過の表示状態で表示させる（図８（ｂ）参照）。
【００７２】
一方、ステップＳ１４にて、切出領域Ａのサイズや形状を変更する指示が入力されていないと判定されると（ステップＳ１４；ＮＯ）、中央制御部１のＣＰＵは、ユーザによる操作入力部１０のシャッタボタン１０ａの半押し操作が行われたか否かを判定する（ステップＳ１６）。
ここで、シャッタボタン１０ａの半押し操作が行われていないと判定されると（ステップＳ１６；ＮＯ）、中央制御部１のＣＰＵは、処理をステップＳ１４に戻し、上記と同様に、切出領域Ａのサイズや形状を変更する指示が入力されたか否かを判定する。
【００７３】
ステップＳ１６にて、シャッタボタン１０ａの半押し操作が行われたと判定されると（ステップＳ１６；ＹＥＳ）、第２表示制御部２０６ａは、切出領域Ａ以外の領域の画像の半透過の表示状態での表示を解除する（ステップＳ１７；図９（ａ）参照）。
そして、変位制御部２０５ｄは、切出領域Ａのサイズや形状を固定した状態で、第２変位部２０５ｃにより特定の被写体の移動に追従させるように切出領域Ａの位置を変位させる制御を行う（ステップＳ１８；図９（ｂ）参照）。具体的には、第２変位部２０５ｃは、第２被写体移動検出部２０５ｂにより検出される特定の被写体の相対的な移動に合わせて、撮像部３の撮像範囲内における切出領域Ａの位置を変位させる。また、第２表示制御部２０６ａは、切出領域Ａの変位に対応させて、表示パネル６ｂに当該切出領域Ａを示す枠Ｗを変位させて表示させる。
【００７４】
次に、中央制御部１のＣＰＵは、ユーザによる操作入力部１０のシャッタボタン１０ａの半押し操作が解除されたか否かを判定する（ステップＳ１９）。
ここで、シャッタボタン１０ａの半押し操作が解除されていないと判定されると（ステップＳ１９；ＮＯ）、中央制御部１のＣＰＵは、ユーザによる操作入力部１０のシャッタボタン１０ａの全押し操作が行われたか否かを判定する（ステップＳ２０）。
【００７５】
ステップＳ２０にて、シャッタボタン１０ａの全押し操作が行われていないと判定されると（ステップＳ２０；ＮＯ）、処理をステップＳ１８に戻し、上記と同様に、変位制御部２０５ｄは、切出領域Ａのサイズや形状を固定した状態で、第２変位部２０５ｃにより特定の被写体の移動に追従させるように切出領域Ａの位置を変位させる制御を行う。
一方、ステップＳ２０にて、シャッタボタン１０ａの全押し操作が行われたと判定されると（ステップＳ２０；ＹＥＳ）、第２切出部２０５ｅは、シャッタボタン１０ａの全押し操作が行われた時点で信号処理部４により生成された全体画像ＩａのＹＵＶデータを第２メモリ２０２から取得し、全体画像Ｉａから切出領域Ａに対応する部分画像Ｉｐを切り出す（ステップＳ２１；図１０（ａ）参照）。なお、撮像制御部３ｃは、全体画像Ｉａを撮像する際に、切出領域Ａを基準として、ＡＦ（自動合焦処理）、ＡＥ（自動露出処理）、ＡＷＢ（自動ホワイトバランス）等を行っても良い。
その後、第２記録制御部２０８は、第２切出部２０５ｅにより切り出された切出領域Ａに対応する部分画像Ｉｐと、撮像部３により撮像される全体画像Ｉａ（図１０（ｂ）参照）とを個別に圧縮して別々のファイルとし、これらを対応付けて記録部９に記録させる（ステップＳ２２）。
【００７６】
一方、ステップＳ１９にて、シャッタボタン１０ａの半押し操作が解除されたと判定されると（ステップＳ１９；ＹＥＳ）、処理をステップＳ１２に戻し、第２位置設定部２０５ａは、撮像部３の撮像範囲内の略中央に、例えば、前回（例えば、シャッタボタン１０ａの半押し操作の解除前に）設定されたサイズや形状の切出領域Ａを設定する。その後、上記と同様に、ステップＳ１３以降の各処理が行われる。
【００７７】
以上のように、実施形態２の撮像装置２００によれば、切出領域Ａ内の画像をライブビュー画像として表示パネル６ｂに表示させ、具体的には、ライブビュー画像としての全体画像Ｉａ内で切出領域Ａを識別可能に表示パネル６ｂに表示させるので、切出領域Ａに対応する部分画像Ｉｐの全体画像Ｉａ内での位置関係の把握を容易に行うことができる。さらに、シャッタボタン１０ａの半押し操作が行われるまでは、撮像部３の撮像範囲内における切出領域Ａの位置を固定させるとともに、シャッタボタン１０ａの半押し操作が行われると、撮像範囲内の特定の被写体の移動に追従させるように、特定の被写体の相対的な移動に合わせてこの撮像範囲内における切出領域Ａの位置を変位させ、シャッタボタン１０ａの全押し操作が行われると、全体画像Ｉａ内の切出領域Ａに対応する部分画像Ｉｐを記録させるので、シャッタボタン１０ａの半押し操作が行われる前は、ユーザが撮像方向や画角を変えることにより切り出し対象となる特定の被写体が含まれる切出領域Ａを自由に変えることができ、シャッタボタン１０ａの半押し操作が行われた後は、手ぶれが生じたり、特定の被写体が動いたり、画角を変えたりした場合でも特定の被写体の相対的な移動に追従させて切出領域Ａの位置を変位させることができ、切り出し対象となる特定の被写体の変更、決定、追尾（固定）を容易に行うことが可能となる。
特に、シャッタボタン１０ａの半押し操作が行われるまでは、撮像範囲に対して切出領域Ａの位置を固定した状態で、当該切出領域Ａのサイズや形状を変更可能とすることで、切り出し対象となる特定の被写体が含まれる切出領域Ａのサイズや形状を自由に変えることができる。さらに、シャッタボタン１０ａの半押し操作が行われると、ユーザが所望するサイズや形状で切出領域Ａのサイズ及び形状を固定した状態で、特定の被写体の相対的な移動に追従させて当該切出領域Ａの位置を変位させることができる。
このように、撮像装置２００のデジタルズーム機能に関する使い勝手の向上を図ることができる。
【００７８】
また、シャッタボタン１０ａの全押し操作が行われると、切出領域Ａに対応する部分画像Ｉｐと当該切出領域Ａの切り出しと同じタイミングで撮像された全体画像Ｉａとを対応付けて記録することで、部分画像Ｉｐの全体画像Ｉａに対する位置関係の把握をより容易に行うこともできる。
【００７９】
また、ライブビュー画像として表示パネル６ｂに逐次表示されている全体画像Ｉａ内に、切出領域Ａを示す枠Ｗを表示させるので、切出領域Ａを全体画像Ｉａ内で識別可能に表示することができ、切出領域Ａに対応する部分画像Ｉｐの全体画像Ｉａ内での位置関係の把握をより容易に行うことができる。特に、シャッタボタン１０ａの半押し操作が行われるまでは、ライブビュー画像として逐次表示されている全体画像Ｉａ内における切出領域Ａ以外の領域の画像を、この切出領域Ａに対応する部分画像Ｉｐに対して相対的に引き立たせないような所定の表示態様で表示させるので、全体画像Ｉａ内で切出領域Ａを相対的に目立たせることができ、当該切出領域Ａをより容易に識別可能となるように表示することができる。
さらに、シャッタボタン１０ａの半押し操作が行われると、切出領域Ａ以外の領域の画像をこの切出領域Ａに対応する部分画像Ｉｐに対して相対的に引き立たせないような所定の表示態様での表示状態を解除するので、全体画像Ｉａの画角の調整をより容易に行うことができる。
【００８０】
また、シャッタボタン１０ａの半押し操作が行われるまでの間に行われるユーザによる操作入力部１０の所定操作に応じて、切出領域Ａのサイズや形状の複数の組み合わせの中から何れか一の組み合わせを選択して、この組み合わせに対応するサイズ及び形状の切出領域Ａをライブビュー画像としての全体画像Ｉａ内で識別可能に表示させるので、切り出し対象となる特定の被写体が含まれる切出領域Ａのサイズや形状を自由に変えることができ、変更後のサイズや形状の切出領域Ａを全体画像Ｉａ内で識別可能に表示することで、切出領域Ａに対応する部分画像Ｉｐの全体画像Ｉａ内での位置関係の把握をより容易に行うことができる。
【００８１】
なお、本発明は、上記実施形態１、２に限定されることなく、本発明の趣旨を逸脱しない範囲において、種々の改良並びに設計の変更を行っても良い。
例えば、上記実施形態１、２にあっては、部分画像Ｉｐと全体画像Ｉａとを対応付けて記録させるようにしたが、一例であってこれに限られるものではなく、少なくとも部分画像Ｉｐを記録させる構成であれば良い。
【００８２】
また、上記実施形態１にあっては、シャッタボタン１０ａの半押し操作後に、表示パネル６ｂに表示されるライブビュー画像を全体画像Ｉａから部分画像Ｉｐに切り換えるようにしたが、一例であってこれに限られるものではなく、シャッタボタン１０ａの半押し操作の有無に拘わらず、部分画像Ｉｐをライブビュー画像として表示パネル６ｂに表示するようにしても良い。
【００８３】
さらに、上記実施形態１、２にあっては、同じ１つのシャッタボタン１０ａの半押し操作と全押し操作により切り出し対象となる特定の被写体の決定、追尾（固定）と画像の記録とを指示するようにしたので、画像の記録を含めた素早い操作を行うことが可能であるが、シャッタボタン以外の操作によって切り出し対象となる特定の被写体の決定、追尾（固定）を指示するようにしてもよい。例えば、操作入力部１０は、表示パネル６ｂと一体となって形成されたタッチパネル（図示略）を備え、当該タッチパネルに対する接触回数を基準として、例えば、一回目の接触操作を第１の操作とし、続けて行われる二回目の接触操作を第２の操作とするようにしても良い。
【００８４】
また、上記実施形態１、２にあっては、シャッタボタン１０ａの半押し操作によって切り出し対象となる特定の被写体の決定、追尾（固定）を指示するようにしたが、例えば、予め登録されている顔を特定の被写体とするような場合には、特にユーザ操作を行わなくとも、常に登録された顔を特定の被写体として決定、追尾（固定）するようにしてもよい。
【００８５】
また、撮像装置１００、２００の構成は、上記実施形態１、２に例示したものは一例であり、これに限られるものではない。例えば、部分画像Ｉｐや全体画像Ｉａを記録する記録手段は、例えば、サーバ等の外部機器に設けるようにしても良く、通信ネットワークを介して画像データを送信して記録させるようにしても良い。
【００８６】
加えて、上記実施形態１にあっては、中央制御部１の制御下にて、第１切出部５ａ、第１表示制御部６ａ、第１被写体移動検出部５ｄ、第１変位部５ｅ、第１記録制御部８が駆動する構成としたが、これに限られるものではなく、中央制御部１のＣＰＵによって所定のプログラム等が実行される構成としても良い。
すなわち、プログラムメモリ（図示略）に、切出処理ルーチン、表示制御処理ルーチン、移動検出処理ルーチン、変位処理ルーチン、記録制御処理ルーチンを含むプログラムを記録しておく。そして、切出処理ルーチンにより中央制御部１のＣＰＵに、撮像部３により撮像される全体画像Ｉａから、ズーム倍率に応じた一部分の領域を切り出す機能を実現させるようにしても良い。また、表示制御処理ルーチンにより中央制御部１のＣＰＵに、撮像部３により逐次撮像される全体画像Ｉａをライブビュー画像として表示パネル６ｂに逐次表示させるとともに、第１の操作が行われると、表示パネル６ｂに逐次表示されるライブビュー画像を全体画像Ｉａから切り出される一部分の領域に対応する部分画像Ｉｐに切り換えて表示させる機能を実現させるようにしても良い。また、移動検出処理ルーチンにより中央制御部１のＣＰＵに、撮像部３により撮像される画角に対する特定の被写体の相対的な移動を検出する機能を実現させるようにしても良い。また、変位処理ルーチンにより中央制御部１のＣＰＵに、第１の操作が行われた後、検出される特定の被写体の相対的な移動に合わせて、切り出される一部分の領域の切り出し位置を変位させる機能を実現させるようにしても良い。また、記録制御処理ルーチンにより中央制御部１のＣＰＵに、第１の操作と異なる第２の操作が行われた際に、切り出された一部分の領域に対応する部分画像Ｉｐを記録させる機能を実現させるようにしても良い。
【００８７】
同様に、切出処理ルーチンにより中央制御部１のＣＰＵに、撮像部３により撮像される全体画像Ｉａから、ズーム倍率に応じた一部分の領域を逐次切り出す機能を実現させるようにしても良い。また、表示制御処理ルーチンにより中央制御部１のＣＰＵに、逐次切り出される一部分の領域に対応する部分画像Ｉｐをライブビュー画像として表示パネル６ｂに逐次表示させる機能を実現させるようにしても良い。また、移動検出処理ルーチンにより中央制御部１のＣＰＵに、撮像部３により撮像される画角に対する特定の被写体の相対的な移動を検出する機能を実現させるようにしても良い。また、変位処理ルーチンにより中央制御部１のＣＰＵに、検出される特定の被写体の相対的な移動に合わせて、切り出される一部分の領域の切り出し位置を変位させる機能を実現させるようにしても良い。また、記録制御処理ルーチンにより中央制御部１のＣＰＵに、所定の操作が行われた際に、切り出された一部分の領域に対応する部分画像Ｉｐを記録させる機能であって、所定の撮影モードが設定されている場合に、切り出された一部分の領域に対応する部分画像Ｉｐと、当該一部分の領域の切り出しと同じタイミングで撮像部３により撮像される全体画像Ｉａとを対応付けて記録させる機能を実現させるようにしても良い。
【００８８】
また、上記実施形態２にあっては、中央制御部１の制御下にて、第２表示制御部２０６ａ、第２位置設定部２０５ａ、第２変位部２０５ｃ、変位制御部２０５ｄ、第２記録制御部２０８が駆動する構成としたが、これに限られるものではなく、中央制御部１のＣＰＵによって所定のプログラム等が実行される構成としても良い。
すなわち、プログラムメモリ（図示略）に、設定処理ルーチン、領域表示制御処理ルーチン、変位処理ルーチン、変位制御処理ルーチン、記録制御処理ルーチンを含むプログラムを記録しておく。そして、設定処理ルーチンにより中央制御部１のＣＰＵに、撮像部３の撮像範囲内の所定位置に切出領域Ａを設定する機能を実現させるようにしても良い。また、領域表示制御処理ルーチンにより中央制御部１のＣＰＵに、設定された切出領域Ａ内の画像をライブビュー画像として表示パネル６ｂに表示させる機能を実現させるようにしても良い。また、変位処理ルーチンにより中央制御部１のＣＰＵに、撮像部３の撮像範囲内の特定の被写体の移動に追従させるように、この撮像範囲内における切出領域Ａの位置を変位させる機能を実現させるようにしても良い。また、変位制御処理ルーチンにより中央制御部１のＣＰＵに、第１の操作が行われるまでは、撮像範囲内における切出領域Ａの位置を固定させるとともに、第１の操作が行われると、切出領域Ａの位置を変位させる制御を行う機能を実現させるようにしても良い。また、記録制御処理ルーチンにより中央制御部１のＣＰＵに、第１の操作が行われた後に第２の操作が行われると、撮像部３により撮像される全体画像Ｉａ内の切出領域Ａに対応する部分画像Ｉｐを記録させる機能を実現させるようにしても良い。
【００８９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００９０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段の撮像範囲内の所定位置に切出領域を設定する設定手段と、
前記設定手段により設定された切出領域内の画像をライブビュー画像として表示手段に表示させる領域表示制御手段と、
前記撮像手段の撮像範囲内の特定の被写体の移動に追従させるように、この撮像範囲内における前記切出領域の位置を変位させる変位手段と、
第１の操作が行われるまでは、前記撮像範囲内における前記切出領域の位置を固定させるとともに、前記第１の操作が行われると、前記変位手段により前記切出領域の位置を変位させる制御を行う変位制御手段と、
前記第１の操作が行われた後に第２の操作が行われると、前記撮像手段により撮像される全体画像内の前記切出領域に対応する部分画像を記録させる記録制御手段と、
を備えたことを特徴とする撮像装置。
＜請求項２＞
前記撮像手段により逐次撮像される全体画像を前記ライブビュー画像として前記表示手段に逐次表示させるライブビュー表示制御手段を更に備え、
前記設定手段は、前記ライブビュー表示制御手段による前記ライブビュー画像としての全体画像の表示中に、前記撮像手段の撮像範囲内の所定位置に前記切出領域を設定し、
前記領域表示制御手段は、前記設定手段により設定された前記切出領域を前記ライブビュー画像としての全体画像内で識別可能に前記表示手段に表示させる
ことを特徴とする請求項１に記載の撮像装置。
＜請求項３＞
前記変位制御手段は、
前記第１の操作が行われるまでは、前記撮像範囲に対して前記切出領域の位置を固定した状態で、当該切出領域の大きさ及び形状のうちの少なくとも一方を変更可能にし、前記第１の操作が行われると、前記切出領域の大きさ及び形状を固定した状態で、前記変位手段により当該切出領域の位置を変位させる
ことを特徴とする請求項２に記載の撮像装置。
＜請求項４＞
前記撮像手段により撮像される全体画像から前記切出領域を切り出す切出手段を更に備え、
前記記録制御手段は、前記第２の操作が行われると、前記切出手段により切り出された前記切出領域に対応する部分画像と、前記撮像手段により撮像される全体画像とを対応付けて記録させる
ことを特徴とする請求項１〜３の何れか一項に記載の撮像装置。
＜請求項５＞
前記ライブビュー表示制御手段は、前記第１の操作が行われると、前記表示手段に逐次表示される前記ライブビュー画像を、前記撮像手段により逐次撮像される全体画像から、逐次切り出される前記切出領域に対応する部分画像に切り換える
ことを特徴とする請求項２に記載の撮像装置。
＜請求項６＞
前記ライブビュー表示制御手段は、前記ライブビュー画像として前記表示手段に逐次表示される前記切出領域に対応する部分画像の所定位置に、前記撮像手段により撮像される全体画像を縮小した状態で逐次合成して表示させ、
前記領域表示制御手段は、前記部分画像の所定位置に縮小した状態で合成されて表示されている全体画像内にて、前記切出領域の位置及び大きさを示す枠を表示させる
ことを特徴とする請求項５に記載の撮像装置。
＜請求項７＞
前記領域表示制御手段は、前記ライブビュー表示制御手段により前記ライブビュー画像として前記表示手段に逐次表示されている全体画像内に、前記切出領域を示す枠を表示させる
ことを特徴とする請求項５又は６に記載の撮像装置。
＜請求項８＞
前記領域表示制御手段は、前記第１の操作が行われるまでは、前記ライブビュー表示制御手段により前記ライブビュー画像として前記表示手段に逐次表示されている全体画像内における前記切出領域以外の領域の画像を、この切出領域に対応する部分画像に対して相対的に引き立たせないような所定の表示態様で表示させる
ことを特徴とする請求項７に記載の撮像装置。
＜請求項９＞
前記領域表示制御手段は、前記第１の操作が行われると、前記ライブビュー画像としての全体画像内で大きさ及び形状を固定した前記切出領域を示す枠を表示させるとともに、前記切出領域以外の領域の画像の前記所定の表示態様での表示状態を解除する
ことを特徴とする請求項８に記載の撮像装置。
＜請求項１０＞
前記切出領域の大きさ及び形状のうちの少なくとも一方を異ならせた複数の組み合わせを規定する規定手段を更に備え、
前記領域表示制御手段は、前記第１の操作が行われるまでの間に行われる第３の操作に応じて、前記規定手段により規定されている前記複数の組み合わせの中から何れか一の組み合わせを選択して、この組み合わせに対応する大きさ及び形状の切出領域を前記ライブビュー画像としての全体画像内で識別可能に表示させる
ことを特徴とする請求項８又は９に記載の撮像装置。
＜請求項１１＞
前記切出領域内の前記特定の被写体の前記撮像手段の撮像範囲に対する相対的な移動を検出する移動検出手段を更に備え、
前記変位手段は、前記移動検出手段により検出される前記特定の被写体の相対的な移動に合わせて、前記撮像範囲内における前記切出領域の位置を変位させる
ことを特徴とする請求項１〜１０の何れか一項に記載の撮像装置。
＜請求項１２＞
撮像装置を用いた撮像方法であって、
撮像手段の撮像範囲内の所定位置に切出領域を設定する設定処理と、
前記設定処理により設定された切出領域内の画像をライブビュー画像として表示手段に表示させる領域表示制御処理と、
前記撮像手段の撮像範囲内の特定の被写体の移動に追従させるように、この撮像範囲内における前記切出領域の位置を変位させる変位処理と、
第１の操作が行われるまでは、前記撮像範囲内における前記切出領域の位置を固定させるとともに、前記第１の操作が行われると、前記変位処理により前記切出領域の位置を変位させる制御を行う変位制御処理と、
前記第１の操作が行われた後に第２の操作が行われると、前記撮像手段により撮像される全体画像内の前記切出領域に対応する部分画像を記録させる記録制御処理と、
を含むことを特徴とする撮像方法。
＜請求項１３＞
撮像装置のコンピュータを、
撮像手段の撮像範囲内の所定位置に切出領域を設定する設定手段、
前記設定手段により設定された切出領域内の画像をライブビュー画像として表示手段に表示させる領域表示制御手段、
前記撮像手段の撮像範囲内の特定の被写体の移動に追従させるように、この撮像範囲内における前記切出領域の位置を変位させる変位手段、
第１の操作が行われるまでは、前記撮像範囲内における前記切出領域の位置を固定させるとともに、前記第１の操作が行われると、前記変位手段により前記切出領域の位置を変位させる制御を行う変位制御手段、
前記第１の操作が行われた後に第２の操作が行われると、前記撮像手段により撮像される全体画像内の前記切出領域に対応する部分画像を記録させる記録制御手段、
として機能させることを特徴とするプログラム。
【符号の説明】
【００９１】
１００、２００  撮像装置
１      中央制御部
３      撮像部
５      第１画像処理部
５ａ    第１切出部
５ｂ    被写体位置検出部
５ｃ    第１位置設定部
５ｄ    第１被写体移動検出部
５ｅ    第１変位部
６      第１表示部
６ａ    第１表示制御部
６ｂ    表示パネル
７      画質設定部
８      第１記録制御部
９      記録部
１０    操作入力部
１０ａ  シャッタボタン
２０２  第２メモリ
２０５  第２画像処理部
２０５ａ  第２位置設定部
２０５ｂ  第２被写体移動検出部
２０５ｃ  第２変位部
２０５ｄ  変位制御部
２０５ｅ  第２切出部
２０６  第２表示部
２０６ａ  第２表示制御部
２０８  第２記録制御部
Ｉａ    全体画像
Ｉｐ    部分画像
Ｔ      切出領域テーブル
【図１】
2018137797.tif 000003
【図２】
2018137797.tif 000004
【図３】
2018137797.tif 000005
【図４】
2018137797.tif 000006
【図５】
2018137797.tif 000007
【図６】
2018137797.tif 000008
【図７】
2018137797.tif 000009
【図８】
2018137797.tif 000010
【図９】
2018137797.tif 000011
【図１０】
2018137797.tif 000012
【手続補正書】
【提出日】平成30年4月11日(2018.4.11)
【手続補正１】
【補正対象書類名】明細書
【補正対象項目名】０００２
【補正方法】変更
【補正の内容】
【０００２】
従来、広角から望遠までズーム可能な撮影可能な撮像装置において、ズーム前の広角画像をスルー表示中に、ズーム前の広角画像を逐次切り出して取得し、望遠側にズーム操作が行われると、その時点で切り出して取得したズーム前の広角画像を保持し、ズーム倍率が所定の倍率を超えると、ズーム操作後の望遠画像とともに、保持されているズーム操作前の広角画像を表示する技術も知られている（例えば、特許文献１参照）。
【手続補正２】
【補正対象書類名】明細書
【補正対象項目名】０００４
【補正方法】変更
【補正の内容】
【０００４】
しかしながら、上記特許文献１では、切り出し領域は固定されており、切り出し領域に多様性が無いといった問題がある。
【手続補正３】
【補正対象書類名】明細書
【補正対象項目名】０００５
【補正方法】変更
【補正の内容】
【０００５】
本発明は、このような問題に鑑みてなされたものであり、撮像画像の一部領域を切り出す際の切り出し領域に多様性を持たすことができる撮像装置、撮像方法及びプログラムを提供することである。
【手続補正４】
【補正対象書類名】明細書
【補正対象項目名】０００６
【補正方法】変更
【補正の内容】
【０００６】
上記課題を解決するため、本発明に係る撮像装置は、
撮像手段により逐次撮像される全体画像をライブビュー画像として表示手段に逐次表示させるライブビュー表示制御手段と、
前記ライブビュー表示制御手段による前記ライブビュー画像としての全体画像の表示中に、前記撮像手段の撮像範囲内の所定位置に切出領域を設定する設定手段と、
前記切出領域の大きさ及び形状のうちの少なくとも一方を異ならせた複数の組み合わせを規定する規定手段と、
前記規定手段により規定されている前記複数の組み合わせの中から何れか一の組み合わせを選択して、この組み合わせに対応する大きさ及び形状の切出領域を前記ライブビュー画像としての全体画像内で識別可能に表示させる領域表示制御手段と、
を備えたことを特徴としている。
【手続補正５】
【補正対象書類名】明細書
【補正対象項目名】０００７
【補正方法】変更
【補正の内容】
【０００７】
本発明によれば、撮像画像の一部領域を切り出す際の切り出し領域に多様性を持たすことができる。
【手続補正６】
【補正対象書類名】特許請求の範囲
【補正対象項目名】全文
【補正方法】変更
【補正の内容】
【特許請求の範囲】
【請求項１】
撮像手段により逐次撮像される全体画像をライブビュー画像として表示手段に逐次表示させるライブビュー表示制御手段と、
前記ライブビュー表示制御手段による前記ライブビュー画像としての全体画像の表示中に、前記撮像手段の撮像範囲内の所定位置に切出領域を設定する設定手段と、
前記切出領域の大きさ及び形状のうちの少なくとも一方を異ならせた複数の組み合わせを規定する規定手段と、
前記規定手段により規定されている前記複数の組み合わせの中から何れか一の組み合わせを選択して、この組み合わせに対応する大きさ及び形状の切出領域を前記ライブビュー画像としての全体画像内で識別可能に表示させる領域表示制御手段と、
を備えたことを特徴とする撮像装置。
【請求項２】
前記領域表示制御手段は、前記第１の操作が行われるまでは、大きさ及び形状を固定した前記切出領域を前記ライブビュー画像としての全体画像内で識別可能に表示させる
ことを特徴とする請求項１に記載の撮像装置。
【請求項３】
前記領域表示制御手段は、第１の操作が行われるまでの間に行われる第２の操作に応じて、前記規定手段により規定されている前記複数の組み合わせの中から何れか一の組み合わせを選択して、この組み合わせに対応する大きさ及び形状の切出領域を前記ライブビュー画像としての全体画像内で識別可能に表示させる
ことを特徴とする請求項２に記載の撮像装置。
【請求項４】
前記領域表示制御手段は、前記第１の操作が行われるまでは、前記ライブビュー画像として前記表示手段に逐次表示されている全体画像内における前記切出領域以外の領域の画像を、この切出領域に対応する部分画像に対して相対的に引き立たせないような所定の表示態様で表示させる
ことを特徴とする請求項２又は３に記載の撮像装置。
【請求項５】
前記領域表示制御手段は、前記第１の操作が行われると、前記切出領域以外の領域の画像の前記所定の表示態様での表示状態を解除する
ことを特徴とする請求項４に記載の撮像装置。
【請求項６】
前記第１の操作が行われた後に第３の操作が行われると、前記撮像手段により撮像される全体画像内の前記切出領域に対応する部分画像を記録させる記録制御手段、
を備えたことを特徴とする請求項２〜５の何れか一項に記載の撮像装置。
【請求項７】
前記撮像手段により撮像される全体画像から前記切出領域を切り出す切出手段を備え、
前記記録制御手段は、前記第２の操作が行われると、前記切出手段により切り出された前記切出領域に対応する部分画像と、前記撮像手段により撮像される全体画像とを対応付けて記録させる
ことを特徴とする請求項６に記載の撮像装置。
【請求項８】
撮像装置を用いた撮像方法であって、
撮像手段により逐次撮像される全体画像をライブビュー画像として表示手段に逐次表示させるライブビュー表示制御処理と、
前記ライブビュー表示制御処理による前記ライブビュー画像としての全体画像の表示中に、前記撮像手段の撮像範囲内の所定位置に切出領域を設定する設定処理と、
前記切出領域の大きさ及び形状のうちの少なくとも一方を異ならせた複数の組み合わせを規定する規定処理と、
前記規定処理により規定されている前記複数の組み合わせの中から何れか一の組み合わせを選択して、この組み合わせに対応する大きさ及び形状の切出領域を前記ライブビュー画像としての全体画像内で識別可能に表示させる領域表示制御処理と、
を含むことを特徴とする撮像方法。
【請求項９】
撮像装置のコンピュータを、
撮像手段により逐次撮像される全体画像をライブビュー画像として表示手段に逐次表示させるライブビュー表示制御手段、
前記ライブビュー表示制御手段による前記ライブビュー画像としての全体画像の表示中に、前記撮像手段の撮像範囲内の所定位置に切出領域を設定する設定手段、
前記切出領域の大きさ及び形状のうちの少なくとも一方を異ならせた複数の組み合わせを規定する規定手段、
前記規定手段により規定されている前記複数の組み合わせの中から何れか一の組み合わせを選択して、この組み合わせに対応する大きさ及び形状の切出領域を前記ライブビュー画像としての全体画像内で識別可能に表示させる領域表示制御手段、
として機能させることを特徴とするプログラム。